(57)【要約】【課題】  直飲タイプの携帯用飲料容器において、非吸引喫飲用の筒状突出形状の飲み口や、ストロー様の細筒状で吸引喫飲用の飲み口等の異なる形状の飲み口を備えた携帯用液体容器を提供する。【解決手段】液体容器の開口部に装着される栓体が、基板部１１に、上方突出筒部で形成される飲み口１２と空気孔１３と鍔部１５を備えてなる飲み口部材１を、前記基板部１１が嵌合装着される装着孔部２２を備えた栓カバー部材２に組み込み、前記栓カバー部材２に被覆時に前記飲み口上端を閉塞密閉する飲み口パッキン部を備えた蓋体３をヒンジ構造で付設して構成される。【選択図】図１
0003128166.tif 000002
【実用新案登録請求の範囲】
【請求項１】
適宜な液体容器の開口部に装着される栓体で、所定形状の基板部に、基板部底面側と連通し且つ基板部の所定箇所を中心とする所定形状の上方突出筒部で形成される飲み口、及び基板部底面側と連通し且つ前記飲み口中心から所定距離離れた位置に小透孔で形成される空気孔、及び底面側の外周適宜位置に突出形成した鍔部を備えてなる飲み口部材と、液体容器の開口部に装着できるようにした容器装着部、及び前記飲み口部材の基板部が所定位置に嵌合装着される装着孔部、及び外周側に蓋体をヒンジ連結する蓋体連結部、及び蓋体連結部の反対側に設けた蓋体係止部を備えた栓カバー部材と、前記蓋体連結部にヒンジ連結して栓カバー部材の上面部を被覆開放するように栓カバー部材に取り付けると共に、被覆時に前記飲み口上端を閉塞密閉する飲み口パッキン部、及び蓋体係止部に係止できる係止部を設けた蓋体とで構成してなることを特徴とする携帯用飲料容器の栓体。
【請求項２】
飲み口部材が液体容器開口部に載置状態で配置され、装着孔部を、基板部が嵌合する装着孔と、鍔部抑えで構成し、液体容器開口部に栓カバー部材を外装することで飲み口部材を栓カバー部材と一体化してなる請求項１記載の携帯用飲料容器の栓体。
【請求項３】
基板部及び鍔部が円形で、且つ基板部外周適宜位置に位置決め突部を設けてなる請求項２記載の携帯用飲料容器の栓体。
【請求項４】
基板部底面側に、空気孔の逆流止弁を設けてなる請求項１乃至３記載の何れかの携帯用飲料容器の栓体。
【請求項５】
飲み口上端を閉塞密閉する飲み口パッキン部を、飲み口中心と対応して、異径の複数の飲み口上端に当接する箇所が、所定の弾性を備えて密閉するようにした請求項１乃至４記載の何れかの携帯用飲料容器の栓体。
【請求項６】
飲み口パッキン部を、ゴム質材で形成した板状密閉板と、異径の複数の飲み口上端が当接する箇所を除いた位置に、前記板状密閉板の湾曲基点となる支持部を設けてなる請求項５記載の携帯用飲料容器の栓体。
【請求項７】
蓋体に、蓋体被覆時に空気孔を閉塞密閉する空気孔パッキン部を設けてなる請求項１乃至６記載の何れかの携帯用飲料容器の栓体。
【考案の詳細な説明】
【技術分野】
【０００１】
本考案は、携帯する飲料用容器の栓体において、特に飲み口を備えた栓体に関するものである。
【背景技術】
【０００２】
携帯用飲料容器において、特に栓体が直接口を付ける飲み口を備えたものが従前より提案されており、特に飲み口を備えた栓本体と、前記飲み口を開閉する煽り回動構造とした蓋体で構成されている例として特許文献１，２の栓体が知られている。
【０００３】
特許文献１（特開２００３−２１２２５８号公報）には、ステンレス製真空二重容器で構成される容器本体の開口部に装着される栓本体において、上面部分に円筒状に突出した飲み口と空気用小孔が形成され、前記栓本体に、飲み口と空気小孔を閉塞する弾性密閉蓋部を備えた蓋体をヒンジ連結で付設している栓体が開示されている。
【０００４】
また特許文献２（特開２００６−１６０２７８号公報）には、栓本体を、円筒状の飲み口内に空気通路を形成した飲み口部材を容器本体の開口部内に配置し、更に前記の飲み口部材を前記開口部に押圧固定する栓カバー部材で構成し、栓カバー部材にヒンジ構造で連結して前記飲み口の開口端を閉塞するパッキン部を設けた蓋体で構成した栓体が開示されている。
【０００５】
更に特許文献３（特開２００２−１９１５１１号公報）には、栓体にストロー状の飲み口を突出方向に付勢して設け、ヒンジ構造で連結し前記飲み口の開口端を押し下げて閉塞する蓋体で構成した栓体が開示されている。
【０００６】
【特許文献１】特開２００３−２１２２５８号公報。
【特許文献２】特開２００６−１６０２７８号公報。
【特許文献３】特開２００２−１９１５１１号公報。
【考案の開示】
【考案が解決しようとする課題】
【０００７】
直飲タイプの携帯用液体容器（水筒）においては、その飲み方に応じて飲み口の形状・構造が定められるもので、例えば前記特許文献１，２の栓体は、ペットボトルと同様な飲み方（口の中に流し入れ：非吸引タイプ）に対応する大きさの筒状の飲み口を備えており、特許文献３の栓体は、吸引する飲み方（ストロータイプ、スパウトタイプ）に対応する細筒状の飲み口を備えている。
【０００８】
このように従前の製品においては、所定の形状・構造の飲み口を備えているもので、異なる喫飲手段を採用する場合には、基本的には別設計の製品として供給しているものである。
【０００９】
然し飲み口以外について共有する構造（設計）を採用すると、製造上の効率化が高められるし、部品交換（異なる形状の飲み口を備え部品の交換）によって購買者の選択に対応できる利点も有する。
【００１０】
そこで特許文献２記載のように栓本体を飲み口部材と栓カバー部材で構成すると、異なる飲み口形状を備えた飲み口部材から選択的に組み合わせることが可能であるが、特許文献２記載の栓体は、飲み口部材の変更組み合わせを考慮していない構造であるため、栓カバー部材の汎用性に問題がある。
【００１１】
即ち特許文献２記載の栓体は、栓カバー部材に飲み口となる筒状突出部が嵌合装着される透孔を設けているので、ストロー様の細筒状飲み口を備えた飲み口部材を装着するには、栓カバー部材においても透孔形状の変更が余儀なくされ、栓カバー部材の共通部品化ができない。
【００１２】
更に特許文献１、２、３記載の栓体の飲み口を閉塞するパッキン部においても、所定径の筒状突出形状である飲み口や、ストロー様の細筒状の飲み口の両方に適用できる汎用性を備えていない。
【００１３】
本考案は、非吸引喫飲用の筒状突出形状の飲み口や、ストロー様の細筒状で吸引喫飲用の飲み口等の異なる形状の飲み口を備えた携帯用液体容器を提供できる新規な構造の栓体を提案したものである。
【課題を解決するための手段】
【００１４】
本考案（請求項１）に係る携帯用飲料容器の栓体は、適宜な液体容器の開口部に装着される栓体で、所定形状の基板部に、基板部底面側と連通し且つ基板部の所定箇所を中心とする所定形状の上方突出筒部で形成される飲み口、及び基板部底面側と連通し且つ前記飲み口中心から所定距離離れた位置に小透孔で形成される空気孔、及び底面側の外周適宜位置に突出形成した鍔部を備えてなる飲み口部材と、液体容器の開口部に装着できるようにした容器装着部、及び前記飲み口部材の基板部が所定位置に嵌合装着される装着孔部、及び外周側に蓋体をヒンジ連結する蓋体連結部、及び蓋体連結部の反対側に設けた蓋体係止部を備えた栓カバー部材と、前記蓋体連結部にヒンジ連結して栓カバー部材の上面部を被覆開放するように栓カバー部材に取り付けると共に、被覆時に前記飲み口上端を閉塞密閉する飲み口パッキン部、及び蓋体係止部に係止できる係止部を設けた蓋体とで構成してなることを特徴とするものである。
【００１５】
而して飲み口部材を栓カバー部材と共に液体容器の開口部に装着し、液体容器携帯時には蓋体を閉塞し、飲み口上端が飲み口パッキン部で閉塞密閉されるので、飲み口からの漏れが無く、蓋体を開放すると飲み口が露出し、飲み口から液体容器内の飲料を喫飲できる。特に異径の飲み口を備えた複数の飲み口部材を用意しておくと、所望の飲み口形状を備えた飲み口部材を採用することで、飲み口形状が異なる携帯用飲料容器を提供できる。
【００１６】
また本考案（請求項５、６）に係る携帯用飲料容器の栓体は、前記栓体において、飲み口上端を閉塞密閉する飲み口パッキン部を、飲み口中心と対応して、異径の複数の飲み口上端に当接する箇所が、所定の弾性を備えて密閉するようにしたことを特徴とするものでで、特に  飲み口パッキン部を、ゴム質材で形成した板状密閉板と、異径の複数の飲み口上端が当接する箇所を除いた位置に、前記板状密閉板の湾曲基点となる支持部を設けてなるものである。
【００１７】
而して、飲み口形状が異なる飲み口部材を採用したとしても、予め飲み口形状に対応して飲み口パッキン部を備えることで、飲み口部材の変更のみで飲み口形状が異なる携帯用飲料容器を提供できる。
【００１８】
また本考案（請求項４、７）に係る携帯用飲料容器の栓体は、前記の栓体において、特に基板部底面側に、空気孔の逆流止弁を設けたり、蓋体に、蓋体被覆時に空気孔を閉塞密閉する空気孔パッキン部を設けたもので、携帯時に空気孔からの飲料漏出が防止され、ストロータイプの飲み口を採用した場合にも、空気孔から液体容器内部に空気が流入するので、何等の支障もなく喫飲できる。
【考案の効果】
【００１９】
以上の通り本考案は、飲み口部材と蓋体を付設した栓カバー部材で構成したもので、飲み口形状の異なる飲み口部材から所望形状の飲み口を備えた飲み口部材を選択装着することで、飲み口形状が異なる携帯用飲料容器を提供できたものである。
【考案を実施するための最良の形態】
【００２０】
次に本考案の実施の形態について説明する。実施形態に示した携帯用飲料容器は、たとえばステンレス製真空二重容器で形成される液体容器Ａと、前記液体容器Ａの開口部ａに装着される栓体（本考案）で形成され、栓体は、選択的に採用される飲み口部材１，１ａと、栓カバー部材２と、栓カバー部材２に取り付けられる蓋体３で構成されるものである。
【００２１】
飲み口部材１は、円形の基板部１１と、飲み口１２と、空気孔１３と、逆流止弁１４と、鍔部１５と、位置決め突部１６と、脚部１７と、リングパッキン１８とで構成される。
飲み口１２は、基板部１１の底面側に連通し、且つ基板部１１の所定箇所（飲み口部材１ａと対応する位置）を中心として、流し込み直飲が可能な上方突出筒部で形成されたものである。
【００２２】
空気孔１３は、前記飲み口中心から後述する空気孔パッキン部を蓋体に形成できるように離れた位置に、基板部底面側と連通する小透孔で形成したものである。またこの空気孔１３の基板部底面側に、液体容器Ａから外方に飲料か流出するのを防止し、且つ外方から空気が流入するのに支障が生じない逆流止弁１４を設けてなる。
【００２３】
鍔部１５は、基板部１１の底面側の外周に周設したもので、液体容器Ａの開口部ａの外周よりも内側に位置するように設けてなり、位置決め突部１６は、基板部１１の外周より突出形成し、鍔部１５の上面に設けたものである。
【００２４】
脚部１７は、液体容器Ａの開口部ａ内に配置されると共に、前記開口部ａと対応するリングパッキン１８が装着され、飲み口部材１を開口部ａに載置状態で配置した際に、前記リングパッキン１８が、液体容器Ａの水封を実現するようにしたものである。尚図示例では、鍔部１５が脚部１７の上方部を兼ねる形状としているものである。
【００２５】
また飲み口部材１ａは、飲み口部材１と飲み口１２ａのみが異なるもので、飲み口１２ａは、液体容器Ａ内に垂下するストローｃを装着できる大きさで、且つ吸引喫飲が可能な細筒状に形成したものである。
【００２６】
栓カバー部材２は、容器装着部２１と、装着孔部２２と、蓋体連結部２３と、蓋体係止部２４を備えたものである。
【００２７】
容器装着部２１は、液体容器Ａの開口部外周に形成した螺合部ｂに螺合装着できるようにしたものである。
【００２８】
装着孔部２２は、装着孔２２１と、鍔抑え２２２で構成され、装着孔２２１は、飲み口部材１（１ａ）の基板部１１及び位置決め突部１６が嵌合される形状で、鍔抑え２２２は、鍔部１５と対応して、鍔部１５の上方に配置される形状としたものである。
【００２９】
蓋体連結部２３は、飲み口部材１（１ａ）を装着孔２２１に装着した際に、飲み口１２（１２ａ）位置と反対側となる外周側に、蓋体３がヒンジ連結可能に突設したものである。
【００３０】
蓋体係止部２４は、蓋体連結部の反対側に設けたもので、作動可能な係止ボタンに付勢力を付与してなる適宜構造のものである。
【００３１】
蓋体３は、一端に連結部を設け、前記蓋体連結部２３に、開放方向に付勢させてヒンジ連結し、栓カバー部材２の上面部分全体を被覆開放するように設けたもので、飲み口パッキン部３１、及び空気孔パッキン部３２、及び係止部３３を備えてなるものである。
【００３２】
飲み口パッキン部３１は、蓋体３を閉じた際に、飲み口１２（１２ａ）の上端と当接する位置に設けたもので、飲み口部材１，１ａの大小の飲み口１２，１２ａの形状に対応して形成されたもので、ゴム質材で形成した板状密閉板３１１と、板状密閉板３１１を装着する支持部（第二支持部）３１３を備えてなる。
【００３３】
特に飲み口１２の上端が当接する箇所の外周に位置して、前記板状密閉板３１１の湾曲基点となる第一支持部３１２と、飲み口１２ａの上端が当接する箇所の外周に位置し、且つ飲み口１２の上端が当接した際に板状密閉板３１１の湾曲に障害とならない位置に、前記板状密閉板３１１の湾曲基点となる第二支持部３１３とを設けたものである。
【００３４】
空気孔パッキン部３２は、蓋体３を閉じた際に、空気孔１３を塞ぐように設けたもので、蓋体３の内面所定位置に下方へ突出させた筒状部３２１と当該筒状部３２１に装着した袋状パッキン３２２で構成されるものである。
【００３５】
係止部３３は、蓋体係止部２４の係止ボタンに係止できる掛け止め部（係止受け部）で形成されるもので、蓋体３を閉じた際には、掛け止め部が係止して蓋体３の閉塞を維持し、係止ボタンの操作で係止が解除されると、ヒンジ部分に設けた付勢部材（バネ）の作用で蓋体が開放し、開放状態が維持されるものである。
【００３６】
而して前記実施形態において、飲み口部材１を採用した場合には、飲み口部材１の基板部１１を装着孔２２１に嵌合し、液体容器Ａの開口部ａに被冠し、容器装着部２１を螺合部ｂに螺合装着すると、図５に例示するとおり開口部ａの内周及び上縁にリングパッキン１８が当接し、容器装着部２１の強い螺合で、鍔部１５を鍔抑え２２２で強く下圧することになり、同時にリングパッキン１８も下圧され、栓体全体が一体化し、且つ水封状態で開口部ａに装着される。
【００３７】
液体容器Ａ内には適宜な飲料を満たして携帯に供するもので、蓋体３を開放した状態では、図４に例示するとおり、飲み口１２が露出するので、通常通りの流し込みでの喫飲が可能となる。この際に空気孔１３による空気の自然導入もなされるので、吸引による喫飲も可能である。
【００３８】
そして蓋体３を閉じると、図５に例示するとおり、飲み口１２の上端に板状密閉板３１１が当接し、且つ前記板状密閉板３１１が、第一支持部３１２と第二支持部３１３との間で当接し、奥方に湾曲する状態で当接するので、飲み口１２は完全に閉塞密閉されるものである。同時に空気孔１３も空気孔パッキン部３２で閉塞密閉される。
【００３９】
また図６に例示した別の飲み口部材１ａを採用した場合には、喫飲に際しては、ストロータイプの細長筒状の飲み口１２ａが露出し、空気孔１３からの空気導入も可能であるので、通常の吸引喫飲を容易に行うことができるし、蓋体３を閉じた際には、図８に例示するとおり、飲み口１２ａの上端に板状密閉板３１１が当接すると共に、前記当接は、第二支持部３１３の内方位置となり、板状密閉板３１１が奥方に湾曲する状態で当接することになり、飲み口１２ａは完全に閉塞密閉される。
【００４０】
このように本考案は、飲み口形状が異なる部材を複数用意し、適宜選択して採用することで飲み口形状が異なる携帯用飲料容器を提供でき、特に蓋体に設ける飲み口パッキン部に飲み口径の相違にも対応できるパッキン部を採用することで、飲み口部材の変更のみで確実な飲み口閉塞を実現した携帯用飲料容器を提供できるものである。
【図面の簡単な説明】
【００４１】
【図１】本考案の実施形態全体の分解斜視図。
【図２】同組み立てた状態の全体斜視図（蓋体開放状態）。
【図３】同組み立てた状態の全体斜視図（蓋体閉塞状態）。
【図４】同断面図（蓋体開放状態）。
【図５】同断面図（蓋体閉塞状態）。
【図６】同飲み口部材の別例の斜視図。
【図７】同組み立てた状態の全体斜視図（蓋体開放状態）。
【図８】同断面図（蓋体閉塞状態）。
【符号の説明】
【００４２】
１，１ａ    飲み口部材
１１        基板部
１２，１２ａ  飲み口
１３        空気孔
１４        逆流止弁
１５        鍔部
１６        位置決め突部
１７        脚部
１８        リングパッキン
２          栓カバー部材
２１        容器装着部
２２        装着孔部
２２１        装着孔
２２２        鍔抑え
２３        蓋体連結部
２４        蓋体係止部
３          蓋体
３１        飲み口パッキン部
３１１        板状密閉板
３１２        第一支持部
３１３        第二支持部
３２        空気孔パッキン部
３２１      筒状部
３２２      袋状パッキン
３３        係止部
【図１】
0003128166.tif 000003
【図２】
0003128166.tif 000004
【図３】
0003128166.tif 000005
【図４】
0003128166.tif 000006
【図５】
0003128166.tif 000007
【図６】
0003128166.tif 000008
【図７】
0003128166.tif 000009
【図８】
0003128166.tif 000010